(57)【要約】【課題】身体の患部にフィットさせてアイシングすることができるアイシング用保冷具を提供する。【解決手段】アイシング用保冷具１０は、第１のシート１１と第２のシート１２とを備えた保冷袋体１３を有し、保冷袋体１３はチャック２０により内側領域２２と開放操作部２１とに遮断される。底辺１４側からチャック２０に向けて延びる熱溶着線からなる分割線２６により、内側領域２２は複数の氷収容室２７ａ〜２７ｃに分割される。分割線２６とチャック２０との間の内側領域２２には、いずれかの氷収容室内の氷片を他の氷収容室に移動させる連通部２８が設けられており、氷収容室に供給される氷片の量を調整することができる。【選択図】図１
2019092983.tif 000002
【特許請求の範囲】
【請求項１】
身体に貼着されて身体の患部をアイシングするためのアイシング用保冷具であって、
それぞれ四辺形の第１のシートと第２のシートとを備え、底辺および左右の側辺で一体となり、前記底辺に対向する開口辺が設けられた保冷袋体と、
氷片を収容する内側領域と開放操作部とに前記保冷袋体を仕切り、前記内側領域と前記開放操作部とを遮断するチャックと、
前記底辺の側から前記チャックに向けて前記側辺に平行に延びて、前記第１のシートと前記第２のシートとを接着する複数の熱溶着線からなり、前記内側領域を複数の氷収容室に形成する分割線と、
前記分割線と前記チャックとの間の前記内側領域に設けられ、いずれかの前記氷収容室内の氷片を他の前記氷収容室に移動させる連通部と、
を有するアイシング用保冷具。
【請求項２】
請求項１記載のアイシング用保冷具において、前記底辺の側から前記チャックに向けて前記側辺に平行に延びて、前記第１のシートと前記第２のシートとを接着する複数の熱溶着線からなり、前記内側領域を、それぞれ複数の前記氷収容室からなる複数の収容室群に仕切る仕切り線を有する、アイシング用保冷具。
【請求項３】
請求項１または２記載のアイシング用保冷具において、前記保冷袋体を帯状のストレッチフィルムにより身体に装着する、アイシング用保冷具。
【請求項４】
請求項１〜３のいずれか１項に記載のアイシング用保冷具において、前記チャックは、前記第１のシートと前記第２のシートの一方に前記左右の側辺の間に設けられた２本の突起部と、前記第１のシートと前記第２のシートの他方に設けられ、それぞれの前記突起部が嵌合する溝部とからなる、アイシング用保冷具。
【発明の詳細な説明】
【技術分野】
【０００１】
本発明は、身体の患部に装着されて患部をアイシングし、運動後の疲労回復やケガの応急処置を行うためアイシング用保冷具に関する。
【背景技術】
【０００２】
運動後の疲労の蓄積を防止したり、筋肉痛を軽減したりするために、身体の患部を冷却つまりアイシングすることが知られている。例えば、ランニングや筋肉トレーニングを行うことにより脚部等の筋肉の温度が上昇したときには、脚部等の温度が上昇した患部をアイシングして筋肉の温度を下げることにより、疲労の蓄積や筋肉痛を軽減することができる。また、軽いジョギングを行ったときには、筋肉をアイシングしつつ筋肉のマッサージを行うと、疲労や筋肉痛の原因となる乳酸の蓄積を抑え、筋肉痛を抑えることができる。
【０００３】
さらに、ケガをしたときの素早く行う緊急処置としてＲＩＣＥ処置が知られている。ＲＩＣＥ処置は、患部の出血や腫脹、疼痛を防ぐことを目的に患部や患肢を安静(Rest)にし、氷等で冷却(Icing)し、弾性包帯やテーピングで圧迫(Compression)し、患部や患肢を挙上(Elevation)することが基本となっている。この処置は、捻挫や肉離れ等の四肢のケガの処置に有効である。
【０００４】
特許文献１は、患部に貼着して冷却するとともに清涼感を与えるようにした冷却具を開示している。この冷却具は、通気性、透湿性及び不透水性を有する袋体と、この袋体の内部に収容されている冷却体とを有しており、冷却体は水溶性高分子ゲルと与清涼剤とからなる。冷却具が使用されないときには、冷却具は包被体の中に収容されており、患部に冷却具を貼着するときには、冷却具は包被体つまり収容袋から取り出される。
【０００５】
特許文献２は、人間等を対象としてその体の任意の部位を冷却または保温するためのバンド状の生体サポータを開示している。この生体サポータは、熱媒体収納用の複数のポケット単位を備え、ポケット単位は袋状の内側空間を、それぞれが作用状態と非作用状態とに選択可能な個々の仕切り部材で区分けされている。仕切り部材により任意の単一または連続した複数の分割空間域からなる熱媒体収納用のポケット部を設定するようにしている。
【先行技術文献】
【特許文献】
【０００６】
【特許文献１】特開平１０−９９３６８号公報
【特許文献２】特開２００６−３１６３９４号公報
【発明の概要】
【発明が解決しようとする課題】
【０００７】
特許文献１に記載されるように、水溶性高分子ゲルと与清涼剤とからなる冷却体を使用した冷却具においては、冷却具を長期間保管しておくと、清涼感のある冷却作用を発揮することができなくなる。また、身体の患部に貼着してアイシングを行う場合には、患部によって曲面形状が相違しているので、一定形状の冷却体を患部に貼着するようにした冷却具では、患部に冷却具をフィットさせることができないという問題点がある。
【０００８】
一方、特許文献２に記載される生体サポータにおいては、バンド状つまり帯状のサポータには保冷剤パック単位を収容するポケット部が設けられ、保冷剤パックユニットから任意の数の保冷剤パック単位をミシン目で分離して、ポケット部に挿入される。サポータにはホックが設けられており、保冷剤パック単位の数に応じて、ポケット部を分離するようにしている。このように、バンド状の帯材とこれに設けられたポケット部とにより生体サポータを形成すると、サポータの大型化が避けられず、不使用時におけるサポータの保管を容易に行うことができない。また、保冷剤パック単位のサイズは予め設定されており、患部の曲面形状に合わせて生体サポータをフィットさせることができない。
【０００９】
本発明の目的は、身体の患部にフィットさせてアイシングすることができるアイシング用保冷具を提供することにある。
【課題を解決するための手段】
【００１０】
本発明のアイシング用保冷具は、身体に貼着されて身体の患部をアイシングするためのアイシング用保冷具であって、それぞれ四辺形の第１のシートと第２のシートとを備え、底辺および左右の側辺で一体となり、前記底辺に対向する開口辺が設けられた保冷袋体と、氷片を収容する内側領域と開放操作部とに前記保冷袋体を仕切り、前記内側領域と前記開放操作部とを遮断するチャックと、前記底辺の側から前記チャックに向けて前記側辺に平行に延びて、前記第１のシートと前記第２のシートとを接着する複数の熱溶着線からなり、前記内側領域を複数の氷収容室に形成する分割線と、前記分割線と前記チャックとの間の前記内側領域に設けられ、いずれかの前記氷収容室内の氷片を他の前記氷収容室に移動させる連通部と、を有する。
【発明の効果】
【００１１】
アイシング用保冷具を構成する保冷袋体には、複数の氷収容室が設けられており、複数の氷収容室内の氷片を、連通部を介して１つの氷収容室の内部から他の氷収容室に移動させることができる。これにより、それぞれの氷収容室に所望量の氷片を容易かつ迅速に供給することができる。それぞれの氷収容室に氷片を供給すると、氷収容室は分割線の部分を折り曲げ中心線として氷収容室の形状を保持したまま、他の氷収容室に対して屈曲変形させることができる。これにより、アイシング用保冷具を身体の患部に貼着するときに、湾曲した患部に対応するように、氷収容室が屈曲変形して患部全体に氷収容室に相当する部分を接触させることができ、保冷具を患部にフィットさせて患部を確実にアイシングすることができる。
【図面の簡単な説明】
【００１２】
【図１】一実施の形態であるアイシング用保冷具を示す一部切欠き正面図である。
【図２】（Ａ）は図１におけるＡ−Ａ線拡大断面図であり、（Ｂ）は図１におけるＢ−Ｂ線拡大断面図である。
【図３】図１に示されたアイシング用保冷具に氷を供給した状態を示す正面図である。
【図４】図３の斜視図である。
【図５】図３に示されたアイシング用保冷具を身体の脚部の下腿部に貼着している状態を示す斜視図である。
【図６】変形例であるアイシング用保冷具を示す正面図である。
【図７】他の変形例であるアイシング用保冷具を示す正面図である。
【発明を実施するための形態】
【００１３】
以下、本発明の実施の形態を図面に基づいて詳細に説明する。図１および図２に示されるように、アイシング用保冷具１０は、それぞれ四辺形の第１のシート１１と第２のシート１２とからなる保冷袋体１３を備えている。両方のシート１１、１２は底辺１４と左右の側辺１５、１６で一体になっている。底辺１４に対向する上側の辺は、両方のシート１１、１２が離れた開口辺１７となっている。保冷袋体１３の上下左右は、図１に示されるように、開口辺１７を上側とした状態を示す。
【００１４】
第１のシート１１と第２のシート１２とからなる保冷袋体１３は、裁断された２枚のシートを、底辺１４と左右の側辺１５、１６の部分で接合することにより形成される。それぞれの接合は、２枚のシートを重ねた状態のもとで、底辺１４、側辺１５、１６を加熱治具により加熱溶融することにより、熱溶着により行うことができる。図１においては、シート１１の一部を切り欠いて示すことにより、シート１１に重ねられたシート１２の一部が示されている。また、図１においては、底辺１４と側辺１５、１６の熱溶着部が符号１８により示されている。
【００１５】
シート１１、１２は、低密度ポリエチレン（ＬＤＰＥ）を素材としており、軟質性、防水性、透明性を有しており、０．０７ｍｍ程度の厚みである。ただし、シート１１、１２の素材としては、軟質性等の上記特性を有するナイロンなどの他のプラスチックを使用することができる。透明性を有していない素材によって両方のシート１１、１２を製造することもできる。
【００１６】
保冷袋体１３の開口辺１７側つまり図１の上端部側には、チャック２０が設けられている。このチャック２０により、保冷袋体１３は、開口端部側の開放操作部２１と、これよりも底辺１４側の内側領域２２とに仕切られる。内側領域２２の内部に氷片が収容され、チャック２０を閉じることにより、氷片や氷片から溶けた水が外部に漏出することが防止される。チャック２０を開放するときには、開放操作部２１が使用者により操作される。図２（Ａ）に示されるように、第１のシート１１の開口辺１７は、第２のシート１２の開口辺１７よりも底辺１４に向けて数ｍｍ程度接近している。ただし、第２のシート１２の開口辺１７を第１のシート１１の開口辺１７よりも底辺１４に向けて接近させるようにしても良く、両方の開口辺１７を底辺１４の方向に相互にずらすことにより、チャック２０を開放させるときの操作性を高めることができる。
【００１７】
図１に示される保冷袋体１３の図における左右方向の幅Ｌ１の寸法は、２１０ｍｍであり、底辺１４からチャック２０までの高さ寸法Ｈ１は２８０ｍｍである。
【００１８】
チャック２０は、図２（Ａ）に示されるように、第２のシート１２の内面から突出してシート１２に設けられる２本の突起部２３を有しており、それぞれの突起部２３は左右の側辺１５，１６の間に筋状に延びて形成される。突起部２３は横断面が円弧面形状の部分と、この円弧状部分の最大幅よりも小さい連結部とを有し、連結部でシート１２と一体となっている。第１のシート１１の内面にはそれぞれの突起部２３が嵌合つまり嵌まり込む２つの溝部２４が設けられている。溝部２４は突起部２３の円弧面形状の部分の外側を囲む嵌合部２５により形成されており、嵌合部２５は左右の側辺１５、１６の間に筋状に延びている。
【００１９】
それぞれの突起部２３を溝部２４に嵌合させると、チャック２０が閉じられてチャック２０により開放操作部２１と内側領域２２の連通が遮断される。突起部２３を溝部２４に嵌合させるときには、使用者が指でシート１１、１２の外側から突起部２３と溝部２４を押し付けることにより容易に嵌合される。一方、チャック２０を開くときには、シート１１、１２の開放操作部２１を離す方向に引っ張ると、突起部２３を溝部２４から外すことができ、容易にチャック２０を開放することができる。両方のシート１１、１２の開口辺１７がずれているので、開放操作部２１の中に容易に指を挿入することができ、開放操作性が高められる。
【００２０】
チャック２０は、２本の突起部２３とそれぞれが嵌合する２つの溝部２４を有し、ダブルチャックとなっている。１本の突起部２３と１つの溝部２４とによりチャック２０を形成したシングルチャックとすることも可能であるが、ダブルチャックとすることにより、シングルチャックの場合と比較して、内側領域２２の中に収容される氷片や氷片が溶けた水が保冷袋体１３の内部から外部に漏出することを確実に防止することができる。
【００２１】
図２（Ａ）に示されるように、第２のシート１２に突起部２３が設けられ、第１のシート１１に溝部２４が設けられているが、第１のシート１１に突起部２３を設け、第２のシート１２に溝部２４を設けるようにしても良く、突起部２３は一方のシートに設けられ、溝部２４は他方のシートに設けられる。
【００２２】
第１のシート１１と第２のシート１２は、底辺１４の側からチャック２０に向けて側辺１５、１６に平行に延びる２本の分割線２６により接着されており、内側領域２２には、分割線２６により３つの氷収容室２７ａ〜２７ｃが形成される。それぞれの分割線２６は、シート１１、１２を線状に加熱治具により加熱してシート１１、１２を局所的に軟化することにより得られる熱溶着線つまりヒートシールにより形成される。図２（Ｂ）は加熱治具により軟化されて分割線２６を拡大して示している。
【００２３】
それぞれの分割線２６のチャック２０側の端部と、チャック２０との間の内側領域２２には、連通部２８が設けられている。連通部２８を介して、３つの氷収容室２７ａ〜２７ｃは相互に連通しており、氷片をいずれかの氷収容室から他の氷収容室へ移動させることができる。なお、分割線２６は底辺１４に接触しているが、底辺１４との間に隙間を設けるようにしても良い。
【００２４】
図３および図４は、氷収容室２７ａ〜２７ｃに氷片Ｐを供給した状態を示している。ただし、これらの図においては、シート１１、１２の内部に形成された氷収容室２７ａ〜２７ｃに対応する部分に符号が付されている。氷収容室２７ａ〜２７ｃに氷片Ｐを供給すると、重なった状態のシート１１、１２のうち氷収容室に対応する部分は広げられて、保冷袋体１３の左右方向の幅は収縮する。シート１１、１２は透明性を有しているので、破線で示される氷片Ｐを外部から目視することができる。これらの図においては、２つの氷収容室２７ｂ、２７ｃにはその上端部まで氷片Ｐが供給され、氷収容室２７ａには半分以下の部分にまで氷片Ｐが供給された状態を示す。この状態のもとで、２つの氷収容室２７ｂ、２７ｃに供給された氷片Ｐを氷収容室２７ａに移動するには、外部からシート１１、１２を介して氷収容室２７ｂ、２７ｃの部分を押し付けて、氷片Ｐを氷収容室２７ｂ、２７ｃから氷収容室２７ａに連通部２８を通過させて移動させる。
【００２５】
これにより、３つの氷収容室２７ａ〜２７ｃに所望量の氷片Ｐを供給することができる。また、３つの氷収容室２７ａ〜２７ｃに収容される氷片Ｐの量を相違させるときにも、連通部２８を介して氷片Ｐを移動させることができる。それぞれの氷収容室２７ａ〜２７ｃに供給された氷片Ｐは、分割線２６により左右に移動することがなく、保冷袋体１３の内部で氷片Ｐが片寄らず、氷片Ｐは常に安定した位置に保持される。また、それぞれの氷収容室２７ａ〜２７ｃに少量の氷片Ｐを収容した状態であっても、氷片Ｐが保冷袋体１３の内部でずれ移動することがない。
【００２６】
それぞれの氷収容室２７ａ〜２７ｃに氷片Ｐを供給すると、氷収容室２７ａ〜２７ｃは分割線２６の部分を折り曲げ中心線として氷収容室２７ａ〜２７ｃの形状を保持したまま、他の氷収容室に対して屈曲変形させることができる。これにより、アイシング用保冷具１０を身体の患部に貼着するときに、湾曲した患部に対応するように、氷収容室２７ａ〜２７ｃの全体が屈曲変形して患部全体に氷収容室に相当する部分を接触させることができ、患部にアイシング用保冷具１０がフィットして患部を確実にアイシングすることができる。
【００２７】
図５は、保冷袋体１３の内部に氷片Ｐが供給されたアイシング用保冷具１０を、脚部の下腿、つまりスネの部分に装着つまり貼着している状態を示す。アイシング用保冷具１０をスネに貼着するには、開口辺１７の側を上側として、アイシング用保冷具１０を患部であるスネに当てる。アイシング用保冷具１０をスネに貼着すると、分割線２６はスネに沿って延びる。３つの氷収容室２７ａ〜２７ｃは、分割線２６の部分を中心として全体的に屈曲し、中央部の氷収容室２７ｂに対応する部分がスネの前側に当てられ、左右のふくらはぎの部分には左右の氷収容室２７ａ、２７ｃに対応する部分が当てられる。
【００２８】
次いで、アイシング用保冷具１０を押さえながら、ロール状に巻き付けられた帯状のストレッチフィルム３０を脚部に巻き付けて、アイシング用保冷具１０を脚部に固定する。これにより、例えば、ランニングや筋肉トレーニングにより温度が上昇した下腿の患部をアイシングすることができ、温度が上昇した患部をアイシングして筋肉の温度を下げることにより、疲労の蓄積や筋肉痛を軽減することができる。また、軽いジョギングを行ったときに、筋肉をアイシングしつつ筋肉のマッサージを行うと、疲労や筋肉痛の原因となる乳酸の蓄積を抑え、筋肉痛を抑えることができる。さらには、ケガをしたときの緊急処置としてＲＩＣＥ処置にもアイシング用保冷具１０を使用することができる。
【００２９】
なお、ストレッチフィルム３０は、低密度ポリエチレンを素材として粘着剤が添加され伸縮性を有し、ラップフィルムとも言われ、ＰＶＣ（ポリ塩化ビニル）を素材とするものを使用することもできる。
【００３０】
下腿のうち、ふくらはぎの部分を集中的に冷却するときには、中央部分の氷収容室２７ｂの氷片の量を少なくし、両側の氷収容室２７ａ、２７ｃの氷片の量を多くすることができる。このようなときには、保冷袋体１３の内部に氷片Ｐを供給するときに、連通部２８を介して氷片Ｐを移動させることにより、各氷収容室の中に供給される氷片Ｐの量を、保冷袋体１３の内部に氷片Ｐを供給した後に調整することができる。
【００３１】
連通部２８には氷片Ｐを入り込ませることなく、ストレッチフィルム３０によりアイシング用保冷具１０を身体に貼着すると、連通部２８の部分にまでストレッチフィルム３０を巻き付けることにより、連通部２８のシート１１、１２は密着した状態になる。これにより、水が内部から外部に漏出することが連通部２８によっても達成され、ダブルチャックとともにアイシング用保冷具１０からの水の漏出が確実に達成される。
【００３２】
図１に示されるアイシング用保冷具１０は、脚部の下腿以外に、上腿つまり太ももにも使用することができる。このアイシング用保冷具１０は、３つの氷収容室２７ａ〜２７ｃを備えているが、氷収容室の数としては、複数であれば、２つでも４つでも良い。
【００３３】
図６および図７は、変形例であるアイシング用保冷具１０を示す正面図である。これらの図においては、上述した部位と共通する部位には同一の符号が付されている。
【００３４】
図６および図７に示されるアイシング用保冷具１０は、図１に示したアイシング用保冷具１０と同様に、それぞれ四辺形の第１のシート１１と第２のシート１２とを有している。図６および図７は第１のシート１１を示し、第２のシート１２は開口辺１７の部分のみが示されている。図６に示されるアイシング用保冷具１０は、シート１１、１２の内部の内側領域２２に合計６つの氷収容室２７ａ〜２７ｆが設けられている。それぞれの符号２７ａ〜２７ｆは、シート１１の部分を示しており、その内側に氷収容室が形成されている。２つの氷収容室２７ａ、２７ｂにより１つの収容室群３１ａが構成され、２つの氷収容室２７ｃ、２７ｄにより１つの収容室群３１ｂが構成され、２つの氷収容室２７ｅ、２７ｆにより１つの収容室群３１ｃが構成される。
【００３５】
それぞれの収容室群３１ａ〜３１ｃの間は、シート１１、１２を線状に接着する熱溶着線からなる仕切り線３２により仕切られている。それぞれの仕切り線３２は分割線２６と同様の手段により形成され、仕切り線３２は隣り合う２つの氷収容室を形成するための分割線としての機能を有している。
【００３６】
図６および図７に示されるチャック２０は、図１と同様に、ダブルチャックである。
【００３７】
図６に示されるように、開放操作部２１の部分には、仕切り線３２の位置の延長上に位置させて、固定線３３が設けられている。固定線３３によりシート１１、１２の開放操作部２１は３つの領域に区分けされている。それぞれの固定線３３は、分割線２６および仕切り線３２と同様に、熱溶着線つまりヒートシールにより形成される。
【００３８】
図６に示される保冷袋体１３の幅Ｌ２の寸法は４００ｍｍであり、高さ寸法Ｈ２は２００ｍｍである。このサイズのアイシング用保冷具１０は、身体のうち肩、腰に貼着して、それぞれの部位を患部としてアイシングを行うために好適である。肩、腰を患部として、アイシング用保冷具１０を身体に装着するときには、ストレッチフィルム３０によりアイシング用保冷具１０が患部に巻き付けられる。
【００３９】
図７に示されるアイシング用保冷具１０は、シート１１、１２の内部の内側領域２２に合計４つの氷収容室２７ａ〜２７ｄが設けられている。それぞれの符号２７ａ〜２７ｄは、シート１１の部分を示しており、その内側に氷収容室が形成されている。２つの氷収容室２７ａ、２７ｂにより１つの収容室群３１ａが構成され、２つの氷収容室２７ｃ、２７ｄにより１つの収容室群３１ｂが構成される。
【００４０】
それぞれの収容室群３１ａ、３１ｂの間は、シート１１、１２を線状に接着する熱溶着線からなる仕切り線３２により仕切られており、仕切り線３２は、隣り合う２つの氷収容室を形成するための分割線としての機能を有している。
【００４１】
図６および図７に示すアイシング用保冷具１０においては、収容室群を構成する氷収容室の数は２つであるが、２つに限られることなく、複数であれば任意の数とすることができ、収容室群の数も複数であれば任意の数とすることができる。
【００４２】
図７に示されるように、開放操作部２１の部分には、仕切り線３２の位置の延長上に位置させて、固定線３３が設けられている。固定線３３によりシート１１、１２の開放操作部２１は２つの領域に区分けされている。
【００４３】
図７に示される保冷袋体１３の幅Ｌ３の寸法は２７０ｍｍであり、高さ寸法Ｈ３は１３０ｍｍである。このサイズの保冷具１０は、身体のうち膝、足首、ひじ等の関節部用として、これらの部位のアイシングを行うために好適である。関節部を患部として、アイシング用保冷具１０を身体に装着するときには、ストレッチフィルム３０によりアイシング用保冷具１０が患部に巻き付けられる。
【００４４】
図６および図７に示されるアイシング用保冷具１０においても、図１に示したアイシング用保冷具１０と同様に、保冷袋体１３の内部には複数の氷収容室つまり小部屋が設けられており、アイシング用保冷具１０は開口辺１７を上側として患部に貼着される。患部にアイシング用保冷具１０を貼着する際には、分割線２６が患部の上下方向に延び、患部の曲面形状に応じて各氷収容室が患部にフィットすることにより、身体に安定させてアイシング用保冷具１０を貼着することができる。
【００４５】
保冷袋体１３としては、図１に示されるように複数の氷収容室を有する形態と、図６および図７に示されるように複数の氷収容室からなる収容室群を有する形態とがある。収容室群を有する形態には、図６に示されるように３つの収容室群を有する形態と、図７に示されるように２つの収容室群を有する形態とがある。
【００４６】
図１に示された形態の保冷袋体１３を第１の保冷袋体とし、図６に示された形態の保冷袋体１３を第２の保冷袋体とし、図７に示された形態の保冷袋体１３を第３の保冷袋体として、これらとロール状に巻き付けられた帯状のストレッチフィルム３０とを１つの保冷具セットとして保持管理することができる。そのような保冷具セットを陸上競技者のグループやフィットネスクラブ等における管理者やマネージャが保持しておくと、ランニングや筋肉トレーニングを行った運動者が身体のいずれかに疲労や筋肉痛が発生した場合には、冷凍庫に保存されていた氷片を保冷袋体１３に供給して患部をアイシングすることにより、運動者の疲労や筋肉痛を軽減することができる。さらに、運動者がケガをしたときには、アイシング用保冷具１０を用いてＲＩＣＥ処理を迅速に行うことができる。
【００４７】
１つの保冷具セットを構成する保冷具としては、図１に示された形態と、図６と図７に示された形態のうちの一方の形態との２つとしても良く、運動者の伸長や体重に対応させて複数の保冷具を１つの保冷具セットとしても良い。複数のアイシング用保冷具からなる保冷具セットは、箱部材ないし袋部材等からなる包装部材の中に、ロール状のストレッチフィルムと複数の保冷具とが収容されて構成される。
【００４８】
それぞれのアイシング用保冷具１０は、基本的にシート１１、１２からなる保冷袋体１３により形成されるので、低コストであり、限られたスペースに多くの保冷袋体１３を保管することができる。しかも、氷片を保冷袋体１３に供給することにより、患部を素早くアイシングすることができる。保冷袋体１３の氷収容室に氷片Ｐを供給するときには、氷収容室が連通部２８で連通されているので、それぞれの氷収容室に所望量の氷片Ｐを供給することができ、アイシング作業を迅速に容易に行うことができる。保冷剤を使用することなく、氷を用いているので、低コストで簡便に患部をアイシングすることができる。
【００４９】
本発明は前記実施の形態に限定されるものではなく、その要旨を逸脱しない範囲で種々変更可能である。たとえば、それぞれの保冷袋体１３のサイズは上述したサイズに限られることなく、身体の患部に応じて種々変更可能である。
【符号の説明】
【００５０】
１０    アイシング用保冷具
１１    第１のシート
１２    第２のシート
１３    保冷袋体
１４    底辺
１５、１６    側辺
１７    開口辺
２０    チャック
２１    開放操作部
２２    内側領域
２３    突起部
２４    溝部
２５    嵌合部
２６    分割線
２７ａ〜２７ｆ    氷収容室
２８    連通部
３０    ストレッチフィルム
３１ａ〜３１ｃ    収容室群
３２    仕切り線
３３    固定線
【図１】
2019092983.tif 000003
【図２】
2019092983.tif 000004
【図３】
2019092983.tif 000005
【図４】
2019092983.tif 000006
【図５】
2019092983.tif 000007
【図６】
2019092983.tif 000008
【図７】
2019092983.tif 000009